(57)【要約】【課題】強固な構造をコスト安で実現可能な極めて安定的で耐久性に秀れた橋梁を提供する。【解決手段】基礎１と、該基礎１上に立設される橋脚２と、該橋脚２によって支持される上桁３とから成る橋梁であって、前記橋脚２は、一対の柱状体若しくは板状体の下端部同士を連結して成る側面視略Ｖ字状体４から成り、この橋脚２の対向する上端部２ａと前記上桁３とは夫々連結されて該上桁３と該橋脚２とで逆三角形状構造体が形成されており、前記橋脚２の下端部２ｂは前記基礎１により水平揺動を減衰させる制動支持装置５を介して支承されているもの。【選択図】図２
2007231593.tif 000002
【特許請求の範囲】
【請求項１】
基礎と、該基礎上に立設される橋脚と、該橋脚によって支持される上桁とから成る橋梁であって、前記橋脚は、一対の柱状体若しくは板状体の下端部同士を連結して成る側面視略Ｖ字状体から成り、この橋脚の対向する上端部と前記上桁とは夫々連結されて該上桁と該橋脚とで逆三角形状構造体が形成されており、前記橋脚の下端部は前記基礎により水平揺動を減衰させる制動支持装置を介して支承されていることを特徴とする橋梁。
【請求項２】
請求項１記載の橋梁において、前記橋脚は、前記側面視略Ｖ字状体を橋軸ａと直交する方向に複数並設して構成されていることを特徴とする橋梁。
【請求項３】
請求項２記載の橋梁において、橋軸ａと直交する方向に複数並設した前記側面視略Ｖ字状体同士は夫々横繋材で連結されていることを特徴とする橋梁。
【請求項４】
請求項１〜３いずれか１項に記載の橋梁において、前記橋脚は、橋軸ａと直交する方向において下端側程幅広となるように設定されていることを特徴とする橋梁。
【請求項５】
請求項１〜４いずれか１項に記載の橋梁において、前記基礎は、基礎杭若しくは橋座体から成ることを特徴とする橋梁。
【請求項６】
請求項１〜５いずれか１項に記載の橋梁において、前記上桁は、前記橋脚の上端部と連結される中間桁と、この中間桁の両側若しくは片側に設けられる翼桁とから成ることを特徴とする橋梁。
【請求項７】
請求項１〜６いずれか１項に記載の橋梁において、前記制動支持装置は基礎上面と橋脚の下端部との間に摩擦抵抗を生ぜしめて制動するものであることを特徴とする橋梁。
【請求項８】
請求項７記載の橋梁において、前記翼桁は、水平揺動を減衰させる制動支持装置を介して支承されていることを特徴とする橋梁。
【請求項９】
請求項８記載の橋梁において、前記制動支持装置は基礎上面と翼桁の下端部との間に摩擦抵抗を生ぜしめて制動するものであることを特徴とする橋梁。
【請求項１０】
請求項１〜９いずれか１項に記載の橋梁において、前記制動支持装置は復元機能を有するものであることを特徴とする橋梁。
【請求項１１】
請求項１〜１０いずれか１項に記載の橋梁において、前記一対の柱状体若しくは板状体及び前記上桁は着脱自在に連結されていることを特徴とする橋梁。
【発明の詳細な説明】
【技術分野】
【０００１】
本発明は、橋梁に関するものである。
【背景技術】
【０００２】
従来の耐震橋梁は、図１に図示したように、基礎杭35と橋座体たるフーチング36とから成る基礎31と、該基礎31上に略垂直に立設される複数の柱状の橋脚32と、該橋脚32の上端部に連結支承される上桁33とから成り、橋脚32と上桁33との間には制動支持装置34（例えば積層ゴム）が介存せしめられる構成が一般的である。
【０００３】
ところで、上記従来の橋梁は、基礎31上に略垂直に立設される橋脚32により上桁33を支承していることから、上桁33の橋脚32により支承される支点間の距離Ａ’が長くなるため、上桁断面を大きくして強度を保つ必要があり、上桁33が重くなってしまう（即ち、上桁33に余分な耐力が要求されてしまう。）。そのため、以下のような問題が生じている。
【０００４】
（１）重い上桁33を支承するため、橋脚32の強度も大きくする必要があり、橋脚32の必要断面が大きくなる。即ち、橋脚32が重くなる。
【０００５】
（２）上桁33・橋脚32が重くなるため、鉛直荷重が大きくなり、上桁33・橋脚32を受ける制動支持装置34や基礎31の必要断面も大きくなる。
【０００６】
（３）そのため、全ての部材の必要断面が大きくなって重量化し、地震等による揺れの慣性力が大きくなってしまう（特に、上桁33が重い場合は、基礎31への転倒モーメントが大きく作用する。）。
【０００７】
（４）特に、基礎31の必要断面の増加は、施工時の地面掘削面積を大規模化し、交通阻害・工事長期化を招く原因となる。
【発明の開示】
【発明が解決しようとする課題】
【０００８】
本発明は、上述のような問題点を解決したもので、強固な構造をコスト安で実現可能な極めて安定的で耐久性に秀れた橋梁を提供するものである。
【課題を解決するための手段】
【０００９】
添付図面を参照して本発明の要旨を説明する。
【００１０】
基礎１と、該基礎１上に立設される橋脚２と、該橋脚２によって支持される上桁３とから成る橋梁であって、前記橋脚２は、一対の柱状体若しくは板状体の下端部同士を連結して成る側面視略Ｖ字状体４から成り、この橋脚２の対向する上端部２ａと前記上桁３とは夫々連結されて該上桁３と該橋脚２とで逆三角形状構造体が形成されており、前記橋脚２の下端部２ｂは前記基礎１により水平揺動を減衰させる制動支持装置５を介して支承されていることを特徴とする橋梁に係るものである。
【００１１】
また、請求項１記載の橋梁において、前記橋脚２は、前記側面視略Ｖ字状体４を橋軸ａと直交する方向に複数並設して構成されていることを特徴とする橋梁に係るものである。
【００１２】
また、請求項２記載の橋梁において、橋軸ａと直交する方向に複数並設した前記側面視略Ｖ字状体４同士は夫々横繋材６で連結されていることを特徴とする橋梁に係るものである。
【００１３】
また、請求項１〜３いずれか１項に記載の橋梁において、前記橋脚２は、橋軸ａと直交する方向において下端側程幅広となるように設定されていることを特徴とする橋梁に係るものである。
【００１４】
また、請求項１〜４いずれか１項に記載の橋梁において、前記基礎１は、基礎杭７若しくは橋座体８から成ることを特徴とする橋梁に係るものである。
【００１５】
また、請求項１〜５いずれか１項に記載の橋梁において、前記上桁３は、前記橋脚２の上端部２ａと連結される中間桁９と、この中間桁９の両側若しくは片側に設けられる翼桁10とから成ることを特徴とする橋梁に係るものである。
【００１６】
また、請求項１〜６いずれか１項に記載の橋梁において、前記制動支持装置５は基礎１上面と橋脚２の下端部との間に摩擦抵抗を生ぜしめて制動するものであることを特徴とする橋梁に係るものである。
【００１７】
また、請求項７記載の橋梁において、前記翼桁10は、水平揺動を減衰させる制動支持装置５’を介して支承されていることを特徴とする橋梁に係るものである。
【００１８】
また、請求項８記載の橋梁において、前記制動支持装置５’は基礎１上面と翼桁10の下端部との間に摩擦抵抗を生ぜしめて制動するものであることを特徴とする橋梁に係るものである。
【００１９】
また、請求項１〜９いずれか１項に記載の橋梁において、前記制動支持装置５は復元機能を有するものであることを特徴とする橋梁に係るものである。
【００２０】
また、請求項１〜１０いずれか１項に記載の橋梁において、前記一対の柱状体若しくは板状体及び前記上桁３は着脱自在に連結されていることを特徴とする橋梁に係るものである。
【発明の効果】
【００２１】
本発明は上述のように構成したから、上桁を支持する支点間の距離を短くすることができ、そのため、上桁の軽量化が達成され、それだけ基礎に作用する転倒モーメントを小さくすることが可能となる。しかも、上桁・橋脚の必要断面を小さくしてそれだけ各部材の軽量化が図れ、更に、橋脚と上桁とで逆三角形構造体を構成することで、上方ほど全体剛性が大きくなって地震による揺れが上桁に伝わりにくくなり、地震等の揺れを安定的に軽減可能な極めて耐久性に秀れた橋梁となる。
【発明を実施するための最良の形態】
【００２２】
好適と考える本発明の実施形態を、図面に基づいて本発明の作用を示して簡単に説明する。
【００２３】
側面視略Ｖ字状の橋脚２の対向する上端部２ａに夫々上桁３を連結して支持するため、それだけ支点間の距離Ａが短くなる。従って、上桁３の断面を大きくする必要なく必要な強度を確保でき、上桁３の軽量化を図ることが可能となる。
【００２４】
そのため、上桁３を支持する橋脚２や基礎１の必要断面も小さくすることが可能となり、橋脚２及び基礎１の軽量化・コンパクト化を図れることになる。
【００２５】
また、橋脚２と基礎１との間の制動支持装置５により、地震時の水平力等が相互に伝わらない構造となるのは勿論、上述のように各部材の軽量化を図れるため、地震の慣性力はそれだけ小さくなり、安定的に揺れを軽減できることになる。
【００２６】
更に、橋脚２の対向する上端部２ａが２点で上桁３と夫々連結して上桁３を支持すると共に、基礎１とは１点で連結されて支持されるから、橋脚２と上桁３とで、外力に対して非常に強固で安定的な逆三角形構造体を実現できることになり、軽量且つコンパクトな構造でありながら高強度を発揮できることになる。
【００２７】
また、上述のように橋脚２は上桁３と２点で連結されるにもかかわらず、基礎１とは１点で連結されるから、従来に比し基礎の施工箇所を削減でき、施工がよりコスト安に且つ短期間で行えることになり、強固な構造をコスト安に実現可能となる。
【実施例】
【００２８】
本発明の具体的な実施例について図２〜５に基づいて説明する。
【００２９】
本実施例は、基礎１と、該基礎１上に立設される橋脚２と、該橋脚２によって支持される上桁３とから成る橋梁であって、前記橋脚２は、一対の柱状体の下端部同士を連結して成る側面視略Ｖ字状体４から成り、この橋脚２の対向する上端部２ａと前記上桁３とは夫々連結されて該上桁３と該橋脚２とで逆三角形状構造体が形成されており、前記橋脚２の下端部２ｂは前記基礎１により水平揺動を減衰させる制動支持装置５を介して支承されているものである。
【００３０】
各部を具体的に説明する。
【００３１】
基礎１は、図２に図示したように地面11に埋設されるコンクリート製の基礎杭７と、この基礎杭７上に該基礎杭７の杭頭と剛結合状態で設けられるコンクリート製の橋座体８とで構成されている。尚、この基礎杭７と橋座体８との結合は剛結合に限らず、スライド式結合等でも良い。
【００３２】
また、橋座体８とは、制動支持装置５のような支承体の受台であって、地盤中に一部を必ず入れるフーチングを含む構造体をいう。尚、橋座体８は、基礎杭７で支えられ地上に全体が露出する構成でも良い。
【００３３】
ところで、図１に図示したような従来構造では、基礎杭35の本数を多くしてしかも大断面積を有する橋座体たるフーチング36を施工する必要があったが、本実施例においては、橋脚２及び上桁３を軽量化でき、基礎１に作用する転倒モーメントを小さくできるため、基礎杭７の本数を減らすことができ、また、断面も従来より小さくすることができる。更に、橋座体８（フーチング）を減らすこともできる。従って、地面の掘削等が必要最小限で済み、極めて施工が容易となる。
【００３４】
本実施例においては、基礎杭７と橋座体８とから成る構造を採用しているが、基礎杭７のみや橋座体８のみの構成としても良い。この場合、それだけ施工が容易となる。
【００３５】
例えば、基礎杭７のみの構成は、水上などに設ける場合（水上に杭頭を出して活用する場合）や、軟弱地盤等で適用できる。この際、杭頭を鋼材で連結しても良い。また、基礎杭７はコンクリート製に限らず、鋼管杭等を用いても良い。また、橋座体８のみの構成は、比較的良好な地盤（固い地盤）で適用できる（所謂地盤のみで支持されるフーチング。）。
【００３６】
尚、橋座体８はコンクリート製に限らず、他の材質で形成したものでも良い。また、地面11に完全に埋設された構成としても良い。
【００３７】
橋脚２は、図３，図４に図示したようなコンクリート製の柱状体の下端部同士を連結して成る側面視略Ｖ字状体４を橋軸ａと直交する方向（橋幅方向）に２つ並設して構成されている。この側面視略Ｖ字状体４は、その上端部同士及び下端部同士が柱状の横繋材６により夫々連結されている。
【００３８】
従って、橋幅に近い幅の板状体を斜材として用いる必要がなく、それだけ軽量化を図れると共に、部材間に空間ができ、開放されたデザインを形成できることになる。また、各部材で極端に大きさが異なることがなく、橋脚２の形成が工程上のネックとなり難いため、プレキャスト化し易くなる。
【００３９】
また、横繋材６により側面視略Ｖ字状体４同士を強固に連結でき、上桁３と側面視略Ｖ字状体４とから成る逆三角形状構造体を強固に一体化できることになる。更に、側面視略Ｖ字状体４の下端部同士を連結する横繋材６により基礎１との間に制動支持装置５を複数配置することが容易となる。
【００４０】
また、橋脚２は、図５に図示したように橋軸ａと直交する方向において、前記側面視略Ｖ字状体４の上端側の幅を下端側の幅より小さくなるように、夫々上端側を内側に傾斜させることで下端側程幅広となるように設定しても良い。この場合、橋軸ａと直交する方向の揺れによる転倒モーメントを良好に受けることができ、水平方向に揺動する制動支持装置５を橋脚２の下端部２ａに設けたことによるデメリットを解消できる。更に、下端側を幅広とすることで応力分散ができ、橋座体８の厚みをそれだけ薄くすることができる。尚、側面視略Ｖ字状体４を、例えば一方は垂直に基礎上に立設し、他方の上端部だけを一方側に傾斜させる構成としても良い。
【００４１】
橋脚２は、前記橋座体８上に制動支持装置５としてのゴム板と鋼板とを交互に積層して成る積層ゴムを介して設けられている。この制動支持装置５により、地震時に発生する水平力や温度差による桁伸縮等に対して抗力を発生せずに対応でき、各構造に余分な荷重を発生させることを阻止できる。
【００４２】
特に、地面からわずかに露出した橋座体８上に制動支持装置５を設けることで、制動支持装置５を上桁３と橋脚２との間に設けた場合に比し、基礎１から制動支持装置５までの距離がそれだけ短くなり、地震時水平力の作用に伴い基礎１に作用する転倒モーメントの影響が極めて小さくなる。従って、基礎１の設計がこの転倒モーメントにより支配されることがなく、基礎杭７と橋座体８とから成る簡易構成で実現でき、構造の単純化と低コスト化に加え、施工時の路上掘削面積の低減や交通阻害の阻止、工期短縮等の効果が発揮されることになる。
【００４３】
尚、本実施例において制動支持装置とは、鉛直荷重を支持し且つ水平方向に揺動可能でありながら、その揺動を減衰させる機能を有するものをいう。
【００４４】
また、本実施例においては、制動支持装置５としては揺動・減衰・復元機能を同一装置で得られる鉛を添加した積層ゴムが採用されているが、上記鉛直荷重を支持し且つ水平方向に揺動可能でありながら、その揺動を減衰させる機能を有する構成であれば、転がり式（例えば、中央を低くすることで傾斜により減衰・復元できるもの。）やスライド式（例えば、底面の摩擦抵抗で減衰のみさせるもの、また、側面等に油圧ダンパーを設けて減衰・復元できるもの）等、他の構成を採用しても良い。
【００４５】
特に摩擦抵抗で制動する場合は、極めて簡便で安価な制動支持装置を構成できる。例えば、基礎上面と橋脚の下端部とで（コンクリート部材同士の間に生じる摩擦抵抗を利用した）制動支持装置としても良いし、基礎上面と橋脚の下端部にプレートを貼り付けるなどして材質を変えて制動装置としてもよい。好適な材質としては、コンコクリート、鉄（特にステンレスがよい）、樹脂、セラミックス等があげられる。摩擦抵抗が小さいと、中小程度の地震や風等の水平力により常時揺動することになり橋梁が不安定になる。また、摩擦抵抗が大きすぎると、大地震が発生したときに動きを止める阻害要因となる。これらを考慮して適宜な摩擦抵抗を決定する。適宜な摩擦抵抗は、接触面積や材質を変えたり、また、接触面に凹凸をつけたりすることで得られる。尚、摩擦抵抗で制動する場合、揺動して基礎面から外れないように適宜な箇所にストッパーを設けるとよい。
【００４６】
橋脚２を構成する側面視略Ｖ字状体４の上端部は夫々コンクリート製の柱状体である上桁３（Ｈ鋼）に連結されている。この上桁３上に床板（図示省略）を付設して橋梁が形成される。尚、上桁３としては、予めＨ鋼などの桁と床板とを一体化した合成桁を採用しても良い。
【００４７】
上桁３は、前記側面視略Ｖ字状体４の上端部と連結される中間桁９と、この中間桁９の両側に設けられる翼桁10とで構成されている。
【００４８】
従って、この中間桁９と側面視略Ｖ字状体４とで逆三角形状構造体が形成されることになる。この逆三角形状構造体においては、上桁３の上縁に一部引張応力が発生する以外は、上桁３の下縁及び一対の柱状体（逆三角形構造体の各辺）に発生する応力は圧縮力に限定されることになり、極めて秀れた耐久性を発揮する。よって、上桁３は上縁に引張抵抗要素たる鉄筋を有する鉄筋コンクリート部材、一対の柱状体は鉄筋コンクリート部材で構成することで、高い剛性を確保しながら安価なコンクリート製部材を採用することでコスト削減を図ることができる。
【００４９】
また、翼桁10は、地面11に埋設されるコンクリート製の基礎杭14と、この基礎杭14上に該基礎杭14の杭頭と剛結合状態で設けられるコンクリート製の橋座体15とで構成された翼桁用基礎13上に立設される翼桁用橋脚12により制動支持装置５’（積層ゴム）を介して支承されている。尚、この制動支持装置５’は前記制動支持装置５と同様のものであり、前記の記載がそのまま当てはまる。
【００５０】
従って、翼桁10も両端で良好に支持されることになり、桁断面が小さくて済むことになる。この翼桁10と前記中間桁９とを交互に連結することで、連続桁構造の橋梁を形成することが可能となる。
【００５１】
また、本実施例においては、各部材同士の連結構造としては剛結合を採用している。具体的には、部材中にシース管を埋設し、ＰＣ鋼線でプレストレスをかけながらの結合（シールドセグメントでの結合方法）を採用している。尚、上記逆三角形状構造体により極めて高い耐力を発揮できるから、剛結合以外の結合構造であっても良好な耐久性を発揮できる。
【００５２】
また、例えばピン結合構造等、着脱自在な連結構造を採用し、前記一対の柱状体同士及び橋脚２と上桁３とを着脱自在に連結可能な構成とした場合には、上部構造（一対の柱状体及び上桁３）を分割して別箇所でプレキャストとして製造でき（現場でコンクリート施工する必要がない）、現場組み立てが可能で現場調整も容易となり、それだけ施工が容易となる。また、施工後の補修時に部分的に取り外すなどして取替えや補修を容易に行えることになる。
【００５３】
尚、支承とは、一般的に、橋桁（上桁）を、該橋桁と橋脚若しくは該橋脚と基礎等の台座との間等に設けられる橋桁等の上部荷重の支持機能、橋桁の撓みに追従するヒンジ機能、温度変化に伴う橋桁の伸縮に追従する伸縮追従機能、地震時の揺れから橋を守る免震・耐震機能を有する部材（支承体，沓，シュー等）を介して支持することをいう。
【００５４】
本実施例は上述のように構成したから、側面視略Ｖ字状の橋脚２の対向する上端部２ａに夫々上桁３を連結して支持するため、それだけ支点間の距離Ａが短くなる。従って、上桁３の断面を大きくする必要なく必要な強度を確保でき、上桁３の軽量化を図ることが可能となる。
【００５５】
そのため、上桁３を支持する橋脚２や基礎１の必要断面も小さくすることが可能となり、橋脚２及び基礎１の軽量化・コンパクト化を図れることになる。
【００５６】
また、橋脚２と基礎１との間の制動支持装置５により、地震時の水平力等が相互に伝わらない構造となるのは勿論、上述のように各部材の軽量化を図れるため、地震の慣性力はそれだけ小さくなり、安定的に揺れを軽減できることになる。
【００５７】
更に、橋脚２の対向する上端部２ａが２点で上桁３と夫々連結して上桁３を支持すると共に、基礎１とは１点で連結されて支承されるから、橋脚２と上桁３とで、外力に対して非常に強固で安定的な逆三角形構造体を実現できることになり、軽量且つコンパクトな構造でありながら高強度を発揮できることになる。
【００５８】
また、橋脚２は上桁３を２点で支持するにもかかわらず、基礎１とは１点で連結され、従来に比し基礎の施工箇所及び必要断面を小さくできるから、施工がよりコスト安に且つ短期間で行えることになり、強固な構造をコスト安に実現可能となる。
【００５９】
ところで、従来の耐震橋梁は、上桁33が基礎31上に立設される橋脚32と制動支持装置34を介して支承されているため、地震等により上桁33に作用する水平力は、基礎31の重心からＸ’だけ上方の制動支持装置34が受けることになり、従って、基礎31に作用する前記水平力とＸ’の積で求められる転倒モーメントは非常に大きくなる。
【００６０】
上記転倒モーメントに対する抵抗モーメントを得るためには、基礎31を重く且つ大断面積化する必要があり、基礎杭35の本数を多くして橋座体たるフーチング36の断面積を大きくする等、過剰な基礎工事が必要となり、コスト高となるのは避けられない。
【００６１】
この点、本実施例は、橋脚２が制動支持装置５を介して基礎１上に設けられているから、基礎１に作用する転倒モーメントは地震等の水平力と、基礎１の重心から制動支持装置５までの距離Ｘとの積となり、従来に比し橋脚２の高さ分だけ転倒モーメントが小さくなり、必要な抵抗モーメントも小さくなるから、基礎１を簡素化することが可能となる。従って、基礎１の施工をよりコスト安に且つ短期間で行えることになる。
【００６２】
また、このように制動支持装置５を基礎１上に設けることで、基礎１に作用する転倒モーメントが減少する一方、橋脚２及び上桁３に作用する曲げモーメントが増加するが、本実施例においては、橋脚２（側面視略Ｖ字状体４）と上桁３とで逆三角形状構造体を構成しているから、この逆三角形状構造体に作用する曲げモーメントは、上桁３の上縁に一部引張応力が発生する以外は、上桁３の下縁及び一対の柱状体（逆三角形構造体の各辺）に発生する応力は圧縮力に限定されることになり、橋脚２及び上桁３を大断面積化することなく橋脚２及び上桁３の剛性を十分確保できることになる。
【００６３】
従って、本実施例は、上桁を支持する支点間の距離を短くすることができるから、上桁を軽量化することができ、それだけ基礎に作用する転倒モーメントを小さくすることが可能で、しかも、上桁・橋脚の必要断面を小さくしてそれだけ各部材の軽量化を図れ、更に、橋脚と上桁とで逆三角形構造体を構成することで、上方ほど全体剛性が大きくなって地震による揺れが上桁に伝わりにくくなり、地震等の揺れを安定して軽減可能な極めて耐久性に秀れた橋梁となる。
【図面の簡単な説明】
【００６４】
【図１】従来例の概略説明側面図である。
【図２】本実施例の概略説明側面図である。
【図３】本実施例の概略説明斜視図である。
【図４】本実施例の概略説明端面図である。
【図５】別例の概略説明端面図である。
【符号の説明】
【００６５】
１  基礎
２  橋脚
２ａ  上端部
２ｂ  下端部
３  上桁
４  側面視略Ｖ字状体
５・５’  制動支持装置
６  横繋材
７  基礎杭
８  橋座体
９  中間桁
10  翼桁
【図１】
2007231593.tif 000003
【図２】
2007231593.tif 000004
【図３】
2007231593.tif 000005
【図４】
2007231593.tif 000006
【図５】
2007231593.tif 000007